(57)【要約】【課題】原稿読み取りや電子ファイルの入力などで入力された画像に対して画像形成処理を行うサービスを提供するに際し、広告を含む宣伝画像を高い宣伝効果を得られるように付加することを可能とする。【解決手段】画像情報を入力する画像情報入力手段１２（１３）と、画像情報入力手段１２（１３）から入力された画像情報に対し、視認可能な所定の宣伝画像情報を付加する画像付加手段１６と、画像付加手段１６で所定の宣伝画像情報が付加された後の付加後の画像情報から画像を形成して、記録材上に記録する画像記録手段１５とを備える。所定の宣伝画像情報は、画像情報入力手段１２（１３）で入力された画像情報と全体的に重なる記録材上の所定位置に記録可能な情報とする。【選択図】図１
2007019929.tif 000002
【特許請求の範囲】
【請求項１】
画像情報を入力して記録材上に画像を形成する画像形成装置であって、画像情報を入力する画像情報入力手段と、該画像情報入力手段から入力された画像情報に対し、視認可能な所定の宣伝画像情報を付加する画像付加手段と、該画像付加手段で前記所定の宣伝画像情報が付加された後の付加後の画像情報から画像を形成して、記録材上に記録する画像記録手段とを備え、前記所定の宣伝画像情報は、前記画像情報入力手段で入力された画像情報と重なる前記記録材上の所定位置に記録可能な情報であることを特徴とする画像形成装置。
【請求項２】
前記所定の宣伝画像情報は、前記記録材上の複数の分割領域に分割したときのそれぞれの分割領域において同じ位置に記録可能に配置される、前記分割領域と同数の宣伝画像に関する情報であることを特徴とする請求項１に記載の画像形成装置。
【請求項３】
前記画像付加手段は、前記記録材のサイズに応じて前記所定の宣伝画像情報を付加する前記所定位置を切り換えることを特徴とする請求項１又は２に記載の画像形成装置。
【請求項４】
前記画像付加手段は、前記所定の宣伝画像情報として、当該画像形成装置で取り扱う記録材に応じた宣伝画像情報を保持し、前記画像記録手段で記録対象となる記録材に応じて、前記保持された宣伝画像情報を付加することを特徴とする請求項１又は２に記載の画像形成装置。
【請求項５】
前記画像記録手段は、前記画像情報入力手段で入力された画像情報を記録する際に画像の形態を変換する画像変換手段を有し、前記画像付加手段は、前記画像変換手段で画像の形態が変換された場合でも、前記画像記録手段で記録対象となる記録材に応じて、前記保持された宣伝画像情報を付加することを特徴とする請求項４に記載の画像形成装置。
【請求項６】
前記画像付加手段は、前記所定の宣伝画像情報として、当該画像形成装置で取り扱う記録材のサイズ及び／又は色に応じた宣伝画像情報を保持する手段を有し、前記画像記録手段で記録対象となる記録材のサイズ及び／色に応じて、前記保持された宣伝画像情報を付加することを特徴とする請求項４又は５に記載の画像形成装置。
【請求項７】
前記所定の宣伝画像情報は、ロゴマーク情報を含むことを特徴とする請求項１乃至６のいずれか１項に記載の画像形成装置。
【請求項８】
前記所定の宣伝画像情報は、階調性をもった画像の情報であることを特徴とする請求項１乃至７のいずれか１項に記載の画像形成装置。
【請求項９】
前記画像情報入力手段で入力される画像情報の特徴を判定する特徴判定手段を備え、前記画像付加手段は、前記特徴判定手段で判定された特徴に応じて前記所定の宣伝画像情報の形態を決定することを特徴とする請求項１乃至８のいずれか１項に記載の画像形成装置。
【請求項１０】
前記画像付加手段は、前記画像情報入力手段から入力される画像情報に対して前記所定の宣伝画像情報の付加を行うか否かを、ユーザに決定させる付加決定手段を有することを特徴とする請求項１乃至９のいずれか１項に記載の画像形成装置。
【請求項１１】
前記画像付加手段は、前記所定の宣伝画像情報を複数保持し、前記画像情報入力手段から入力される画像情報に対して前記複数保持された中から付加する１又は複数の宣伝画像情報を、ユーザに選択させる宣伝選択手段を有することを特徴とする請求項１乃至１０のいずれか１項に記載の画像形成装置。
【請求項１２】
当該画像形成装置のユーザ自身に関するユーザ宣伝情報を入力させるユーザ情報入力手段を備え、前記画像付加手段は、前記所定の宣伝画像情報の一部として前記ユーザ情報入力手段で入力されたユーザ宣伝情報も併せて付加することを特徴とする請求項１乃至１１のいずれか１項に記載の画像形成装置。
【請求項１３】
前記画像記録手段は、前記記録材上の両面に対して画像を記録する手段を有し、前記画像付加手段は、前記記録材の第１の面に記録される画像及び第２の面に記録される画像の双方又は片方に、前記所定の宣伝画像情報を付加する手段を有することを特徴とする請求項１乃至１２のいずれか１項に記載の画像形成装置。
【請求項１４】
前記画像付加手段は、前記記録材の両面に記録される前記所定の宣伝画像情報を、記録材の表裏においてずれた状態となるように付加することを特徴とする請求項１３に記載の画像形成装置。
【請求項１５】
前記画像付加手段は、前記所定の宣伝画像情報の内容を、当該画像形成装置の管理者に設定させる付加情報設定手段を有することを特徴とする請求項１乃至１４のいずれか１項に記載の画像形成装置。
【請求項１６】
前記画像情報入力手段は、原稿を画像情報として読み取る画像読取手段を有し、当該画像形成装置は、前記画像付加手段で前記所定の宣伝画像情報が付加された後の付加後の画像情報から画像ファイルを生成して、記録媒体上に記録するファイル記録手段を備え、前記所定の宣伝画像情報は、前記画像読取手段で入力された画像情報と重なる所定位置に合成して記録することが可能な情報を含むことを特徴とする請求項１乃至１５のいずれか１項に記載の画像形成装置。
【請求項１７】
前記画像記録手段での記録に対してユーザに課金を行う記録対価課金手段を備えることを特徴とする請求項１乃至１６のいずれか１項に記載の画像形成装置。
【請求項１８】
前記記録対価課金手段は、前記画像付加手段により宣伝画像情報を付加するか否かに応じて課金処理を行うことを特徴とする請求項１７に記載の画像形成装置。
【請求項１９】
前記記録対価課金手段は、前記画像付加手段により付加される宣伝画像情報に応じて課金処理を行うことを特徴とする請求項１７又は１８に記載の画像形成装置。
【請求項２０】
前記記録対価課金手段は、前記画像付加手段により付加される宣伝画像情報の形態に応じて課金処理を行うことを特徴とする請求項１７乃至１９のいずれか１項に記載の画像形成装置。
【請求項２１】
請求項１乃至２０のいずれか１項に記載の画像形成装置と、該画像形成装置にネットワークを介して接続された宣伝主の情報処理装置とを備え、印刷サービスをユーザに提供する印刷サービス提供システムであって、前記情報処理装置に対してネットワークを介して宣伝の対価を課金する宣伝対価課金手段を備えたことを特徴とする印刷サービス提供システム。
【請求項２２】
前記宣伝対価課金手段は、前記所定の宣伝画像情報が付加された数量をカウントする付加量計数手段と、該付加量計数手段で計数された数量分の対価を算出する対価算出手段とを有し、該対価算出手段で算出した対価を前記情報処理装置に課金することを特徴とする請求項２１に記載の印刷サービス提供システム。
【請求項２３】
請求項１乃至２０のいずれか１項に記載の画像形成装置と、該画像形成装置にネットワークを介して接続された宣伝主の情報処理装置とを備え、印刷サービスをユーザに提供する印刷サービス提供システムであって、前記情報処理装置からネットワークを介して前記所定の宣伝画像情報を受け取る宣伝受取手段を備えたことを特徴とする印刷サービス提供システム。
【請求項２４】
請求項１乃至２０のいずれか１項に記載の画像形成装置に組み込み、該画像形成装置の制御部を、前記画像付加手段又は該画像付加手段及び前記記録対価課金手段として機能させるためのプログラム。
【請求項２５】
請求項２１乃至２３のいずれか１項に記載の印刷サービス提供システムにおける画像形成装置に組み込み、該画像形成装置の制御部を、前記宣伝対価課金手段又は前記宣伝受取手段として機能させるためのプログラム。
【請求項２６】
請求項２４又は２５に記載のプログラムを記録したコンピュータ読み取り可能な記録媒体。
【発明の詳細な説明】
【技術分野】
【０００１】
本発明は、画像形成装置、印刷サービス提供システム、プログラム、及び記録媒体に関し、より詳細には、印刷画像等の画像情報とは別に宣伝画像情報を付加させることが可能な画像形成装置、その装置を備え印刷サービスを提供する印刷サービス提供システム、その装置やシステムに組み込むためのプログラム、及び、そのプログラムを記録したコンピュータ読み取り可能な記録媒体に関する。
【背景技術】
【０００２】
従来から、コンビニエンスストアや公共利用施設などのオープンスペースで印刷サービスを提供するために画像形成装置が設置されている。この画像形成装置は、一般的にコピー枚数に応じた課金を行うものであるが、読み取られた原稿画像の出力時に生じる余白領域に広告画像等の付加画像を追加合成して出力することができるものが注目されている。
【０００３】
広告画像に対する課金に関し、特許文献１には、広告画像等の付加画像が付加合成された合成出力画像に対する適切な課金をきめ細かく行うための画像形成装置が開示されている。また、特許文献２には、広告情報の利用に伴ない料金の一部を差し引くことで、より安価な画像出力サービスを提供するためのシステムが開示されている。特許文献２に記載のシステムにおいては、広告主は、広告情報を効率的に拡散することができ、利用者には、画像出力やコンテンツ利用の料金から広告情報の利用相当金額の差し引きすなわち割引料金が適用され、広告料の一部が利用者に還元される。
【０００４】
このように、広告画像に対する課金に関する従来技術では、広告画像を付加した場合の複写料金と広告画像を付加しない場合の複写料金とを異なるものとし、複写機利用者と広告画像提供者との双方の便宜を図っている。
【０００５】
なお、従来の画像形成装置においては、印刷画像とは別に、コピーした装置のメーカ名や製造番号などを人に視認できるように付加して印字することが可能なものがある。ここで付加する付加情報は、複写物が出回った場合でも複写元を特定することができるだけでなく、複写の牽制となり得る。従来、このような付加情報は、原稿台のプラテンガラスに刻印され、この刻印によって印刷画像がその部分だけハーフトーンとなって、印字結果として表れるよう構成されている。
【特許文献１】特開平９−９０８３２号公報
【特許文献２】特開２００１−７７９５３号公報
【発明の開示】
【発明が解決しようとする課題】
【０００６】
上述のごとく従来の画像形成装置を用いた広告画像の提供方法は、読み取られた原稿画像の出力時に生じる余白領域に広告画像等の付加画像を追加合成して出力することを前提としてなされている。これは、あくまでユーザ（利用者）側の得たい原稿画像を忠実に再現することに重きをおいていることから必然的に生ずる前提である。
【０００７】
このような前提のために、広告画像はその印刷領域を限定されてしまい、さらにその印刷領域が上下左右の端に限られることから目立たないだけでなくユーザに切り取られる可能性を含んでいる。従って、従来技術におけるコピーサービスに伴う広告画像の提供方法では、充分な宣伝効果が得られないのが現状である。
【０００８】
また、仮に、読み取った原稿画像を縮小した上でその余白領域に広告画像等の付加画像を追加合成したとしても、細かな文字が原稿画像に存在する場合やユーザが年配者であった場合などユーザが縮小を嫌うことが多く、結果的に利用数が減って宣伝効果だけでなくコピー利用料も減少してしまう。
【０００９】
なお、従来技術のごとく原稿台のプラテンガラスに刻印してハーフトーンで印字する構成の装置を広告画像の提供に適用した場合、装置１台１台に広告情報の刻印が必要となり、部品の製造コストが高くなる上に、広告情報の切り替え時にも、部品調達や取り替え作業に時間を要し直ぐに対応できなかったりコストも高くなってしまう。
【００１０】
本発明は、上述のごとき実情に鑑みてなされたものであり、原稿読み取りや電子ファイルの入力などで入力された画像に対して画像形成処理を行うサービスを提供するに際し、広告を含む宣伝画像を高い宣伝効果を得られるように付加することが可能な画像形成装置、その装置を備え印刷サービスを提供する印刷サービス提供システム、その装置やシステムに組み込むためのプログラム、及び、そのプログラムを記録したコンピュータ読み取り可能な記録媒体を提供することをその目的とする。
【課題を解決するための手段】
【００１１】
本発明は、上述のごとき課題を解決するために、以下の各技術手段でそれぞれ構成される。
【００１２】
第１の技術手段は、画像情報を入力して記録材上に画像を形成する画像形成装置であって、画像情報を入力する画像情報入力手段と、該画像情報入力手段から入力された画像情報に対し、視認可能な所定の宣伝画像情報を付加する画像付加手段と、該画像付加手段で前記所定の宣伝画像情報が付加された後の付加後の画像情報から画像を形成して、記録材上に記録する画像記録手段とを備え、前記所定の宣伝画像情報は、前記画像情報入力手段で入力された画像情報と重なる前記記録材上の所定位置に記録可能な情報であることを特徴としたものである。
【００１３】
第２の技術手段は、第１の技術手段において、前記所定の宣伝画像情報は、前記記録材上の複数の分割領域に分割したときのそれぞれの分割領域において同じ位置に記録可能に配置される、前記分割領域と同数の宣伝画像に関する情報であることを特徴としたものである。
【００１４】
第３の技術手段は、第１又は第２の技術手段において、前記画像付加手段は、前記記録材のサイズに応じて前記所定の宣伝画像情報を付加する前記所定位置を切り換えることを特徴としたものである。
【００１５】
第４の技術手段は、第１又は第２の技術手段において、前記画像付加手段は、前記所定の宣伝画像情報として、当該画像形成装置で取り扱う記録材に応じた宣伝画像情報を保持し、前記画像記録手段で記録対象となる記録材に応じて、前記保持された宣伝画像情報を付加することを特徴としたものである。
【００１６】
第５の技術手段は、第４の技術手段において、前記画像記録手段は、前記画像情報入力手段で入力された画像情報を記録する際に画像の形態を変換する画像変換手段を有し、前記画像付加手段は、前記画像変換手段で画像の形態が変換された場合でも、前記画像記録手段で記録対象となる記録材に応じて、前記保持された宣伝画像情報を付加することを特徴としたものである。
【００１７】
第６の技術手段は、第４又は第５の技術手段において、前記画像付加手段は、前記所定の宣伝画像情報として、当該画像形成装置で取り扱う記録材のサイズ及び／又は色に応じた宣伝画像情報を保持する手段を有し、前記画像記録手段で記録対象となる記録材のサイズ及び／色に応じて、前記保持された宣伝画像情報を付加することを特徴としたものである。
【００１８】
第７の技術手段は、第１乃至第６のいずれかの技術手段において、前記所定の宣伝画像情報は、ロゴマーク情報を含むことを特徴としたものである。
【００１９】
第８の技術手段は、第１乃至第７のいずれかの技術手段において、前記所定の宣伝画像情報は、階調性をもった画像の情報であることを特徴としたものである。
【００２０】
第９の技術手段は、第１乃至第８のいずれかの技術手段において、前記画像情報入力手段で入力される画像情報の特徴を判定する特徴判定手段を備え、前記画像付加手段は、前記特徴判定手段で判定された特徴に応じて前記所定の宣伝画像情報の形態を決定することを特徴としたものである。
【００２１】
第１０の技術手段は、第１乃至第９のいずれかの技術手段において、前記画像付加手段は、前記画像情報入力手段から入力される画像情報に対して前記所定の宣伝画像情報の付加を行うか否かを、ユーザに決定させる付加決定手段を有することを特徴としたものである。
【００２２】
第１１の技術手段は、第１乃至第１０のいずれかの技術手段において、前記画像付加手段は、前記所定の宣伝画像情報を複数保持し、前記画像情報入力手段から入力される画像情報に対して前記複数保持された中から付加する１又は複数の宣伝画像情報を、ユーザに選択させる宣伝選択手段を有することを特徴としたものである。
【００２３】
第１２の技術手段は、第１乃至第１１のいずれかの技術手段において、当該画像形成装置のユーザ自身に関するユーザ宣伝情報を入力させるユーザ情報入力手段を備え、前記画像付加手段は、前記所定の宣伝画像情報の一部として前記ユーザ情報入力手段で入力されたユーザ宣伝情報も併せて付加することを特徴としたものである。
【００２４】
第１３の技術手段は、第１乃至第１２のいずれかの技術手段において、前記画像記録手段は、前記記録材上の両面に対して画像を記録する手段を有し、前記画像付加手段は、前記記録材の第１の面に記録される画像及び第２の面に記録される画像の双方又は片方に、前記所定の宣伝画像情報を付加する手段を有することを特徴としたものである。
【００２５】
第１４の技術手段は、第１３の技術手段において、前記画像付加手段は、前記記録材の両面に記録される前記所定の宣伝画像情報を、記録材の表裏においてずれた状態となるように付加することを特徴としたものである。
【００２６】
第１５の技術手段は、第１乃至第１４のいずれかの技術手段において、前記画像付加手段は、前記所定の宣伝画像情報の内容を、当該画像形成装置の管理者に設定させる付加情報設定手段を有することを特徴としたものである。
【００２７】
第１６の技術手段は、第１乃至第１５のいずれかの技術手段において、前記画像情報入力手段は、原稿を画像情報として読み取る画像読取手段を有し、当該画像形成装置は、前記画像付加手段で前記所定の宣伝画像情報が付加された後の付加後の画像情報から画像ファイルを生成して、記録媒体上に記録するファイル記録手段を備え、前記所定の宣伝画像情報は、前記画像読取手段で入力された画像情報と重なる所定位置に合成して記録することが可能な情報を含むことを特徴としたものである。
【００２８】
第１７の技術手段は、第１乃至第１６のいずれかの技術手段において、前記画像記録手段での記録に対してユーザに課金を行う記録対価課金手段を備えることを特徴としたものである。
【００２９】
第１８の技術手段は、第１７の技術手段において、前記記録対価課金手段は、前記画像付加手段により宣伝画像情報を付加するか否かに応じて課金処理を行うことを特徴としたものである。
【００３０】
第１９の技術手段は、第１７又は第１８の技術手段において、前記記録対価課金手段は、前記画像付加手段により付加される宣伝画像情報に応じて課金処理を行うことを特徴としたものである。
【００３１】
第２０の技術手段は、第１７乃至第１９のいずれかの技術手段において、前記記録対価課金手段は、前記画像付加手段により付加される宣伝画像情報の形態に応じて課金処理を行うことを特徴としたものである。
【００３２】
第２１の技術手段は、第１乃至第２０のいずれかの技術手段における画像形成装置と、該画像形成装置にネットワークを介して接続された宣伝主の情報処理装置とを備え、印刷サービスをユーザに提供する印刷サービス提供システムであって、前記情報処理装置に対してネットワークを介して宣伝の対価を課金する宣伝対価課金手段を備えたことを特徴としたものである。
【００３３】
第２２の技術手段は、第２１の技術手段において、前記宣伝対価課金手段は、前記所定の宣伝画像情報が付加された数量をカウントする付加量計数手段と、該付加量計数手段で計数された数量分の対価を算出する対価算出手段とを有し、該対価算出手段で算出した対価を前記情報処理装置に課金することを特徴としたものである。
【００３４】
第２３の技術手段は、第１乃至第２０のいずれかの技術手段における画像形成装置と、該画像形成装置にネットワークを介して接続された宣伝主の情報処理装置とを備え、印刷サービスをユーザに提供する印刷サービス提供システムであって、前記情報処理装置からネットワークを介して前記所定の宣伝画像情報を受け取る宣伝受取手段を備えたことを特徴としたものである。
【００３５】
第２４の技術手段は、第１乃至第２０のいずれかの技術手段における画像形成装置に組み込み、該画像形成装置の制御部を、前記画像付加手段又は該画像付加手段及び前記記録対価課金手段として機能させるためのプログラムである。
【００３６】
第２５の技術手段は、第２１乃至第２３のいずれかの技術手段の印刷サービス提供システムにおける画像形成装置に組み込み、該画像形成装置の制御部を、前記宣伝対価課金手段又は前記宣伝受取手段として機能させるためのプログラムである。
【００３７】
第２６の技術手段は、第２４又は第２５の技術手段におけるプログラムを記録したコンピュータ読み取り可能な記録媒体である。
【発明の効果】
【００３８】
本発明によれば、原稿読み取りや電子ファイルの入力などで入力された画像に対して画像形成処理を行うサービスを提供するに際し、広告を含む宣伝画像を、高い宣伝効果を得られるように付加することが可能となる。
【発明を実施するための最良の形態】
【００３９】
本発明に係る画像形成装置は、画像情報を入力し所定の処理を施す装置であり、原稿を読み取った画像データや電子ファイル等、入力された画像情報から記録紙等の記録材に画像を形成する機能を少なくとも備え、さらには画像形成に対する課金を行う機能を内部或いは外付けで備えるものとする。
【００４０】
図１は、本発明の一実施形態に係る画像処理装置の一構成例を示す図で、図中、１は画像形成装置、１１はユーザ認証手段、１２は第一画像情報入力手段、１３は第二画像情報入力手段、１４は画像処理モード決定手段、１５は画像処理手段（画像記録手段）、１６は画像付加手段、１６ａは付加決定手段、１６ｂは宣伝選択手段、１６ｃは付加情報設定手段、１６ｄは特徴判定手段、１７は処理手段（記録手段）、１８は課金手段、１８ａは記録対価課金手段、１８ｂは宣伝対価課金手段である。
【００４１】
本発明に係る画像形成装置は、少なくとも１つの画像情報入力手段（手段１２及び／又は手段１３）、宣伝画像を付加する画像付加手段１６、画像形成装置１における所定処理を実行する処理手段１７のうち画像情報を入力して記録材上に画像を形成する画像記録手段を備えるものとし、さらに、ユーザ又はユーザ及び宣伝主に対して課金を行う課金手段１８が組み込まれているか或いは取り付けられている。
【００４２】
画像情報入力手段は、画像情報を入力する手段であり、第一画像情報入力手段１２及び第二画像情報入力手段１３で図示するように好ましくは２つ以上の入力手段を有する。そして、これらの入力手段１２，１３は原稿を光学的に読み取って画像データを生成するスキャナ等の画像読取手段であってもよいし、電子ファイルをＰＣ（パーソナルコンピュータ）等の他器からネットワーク等を介して受信する受信手段か、或いは電子ファイルを画像形成装置１に装着した外部記録媒体から読み出して受け取る読出受取手段であってもよい。
【００４３】
画像処理モード決定手段１４は、１又は複数種類具備された画像処理手段１５を、ユーザがモード選択によって選択決定する手段である。画像処理手段１５は、画像読取手段において読み取った画像情報から画像データを生成／転送／ファイリングなどする手段、画像読取手段で読み取った画像情報から画像を形成する画像記録手段、受信や外部記録媒体のデータ読み込みなどによって得た画像情報から画像を形成する画像記録手段などがそれに該当し、それぞれの処理手段１７（例えば記録手段等）を備えるものとする。
【００４４】
従って、画像処理モード決定手段１４は、これらの画像処理手段１５から、ｓｃａｎ  ｔｏ  ｆｉｌｅやｓｃａｎ  ｔｏ  Ｅ−ｍａｉｌ、スキャン後の印刷処理やファイル受信後の印刷処理、スキャン後の印字処理やスキャン後の電子ファイル生成・記録処理、といった各モードの中からユーザ選択されたモードで、画像形成装置１を機能させる。そして、いずれの処理手段１７でも、基本的には、画像情報入力手段で入力された画像情報に画像付加手段１６で所定の宣伝画像情報を付加した上で、それぞれの画像処理を実行することを可能とする。画像処理手段１５が画像記録手段である場合、画像付加手段１６で所定の宣伝画像情報が画像情報に付加された後の付加後画像情報から画像を形成して、記録材上に記録することとなる。
【００４５】
画像付加手段１６は、画像情報入力手段から入力された画像情報に対し、視認可能な所定の宣伝画像情報を付加する手段であり、最終的な処理の好ましくは直前で付加処理を実行する。ここで付加する所定の宣伝画像情報は、画像情報入力手段で入力された画像情報と重なる記録材上の所定の位置に記録可能な情報であり、好ましくは入力された画像情報の記録画像と全体的に重なる宣伝画像を記録材上の所定位置に記録可能な情報とする。換言すると、本発明では、画像付加手段１６で画像データに宣伝画像情報を付加して、画像付加手段１６により宣伝画像情報が付加された画像データに基づいて、画像記録手段１５が画像を記録する。
【００４６】
所定の宣伝画像情報は、入力された画像情報に対してあまり込み入った情報でないことが見た目の印象を良くする上で好ましく、宣伝主の企業名や商品名などといったロゴマークを表す情報を含むことが好ましい。そして、付加する所定の宣伝画像情報は、階調性をもった画像の情報とし、入力された画像情報が読めないような濃さでの記録を避けるように階調を決めておくことが好ましい。
【００４７】
また、画像情報入力手段１２（１３）が、原稿を画像情報として読み取る画像読取手段を有することが条件となるが、画像形成装置１は、画像付加手段１６で所定の宣伝画像情報が付加された後の付加後の画像情報から画像ファイルを生成して、記録媒体上に記録するファイル記録手段を備えることが好ましい。そして、所定の宣伝画像情報は、画像記録手段１５と同様に、画像読取手段で入力された画像情報と全体的に重なる所定位置に合成して記録することが可能な情報を含むものとする。
【００４８】
ここでの記録媒体とは、画像記録手段１５による記録紙や記録シート等の記録材でなく、ＨＤや各種ディスクメディア等の電気、磁気、光学的にデータを記録する記録媒体が該当する。従って、ファイル記録手段としては、ＨＤドライブ等の記録媒体駆動装置、或いはその駆動装置を備えＰＤＦ等の電子ファイルを生成してファイリングするファイリング装置（ＰＣ等に具備）が挙げられる。但し、ＨＤ等へ電子ファイルを記録する際には、宣伝画像情報を分離不可能な状態で記録する必要がある。また、後述の記録対価課金手段１８ａは、このファイル記録手段での記録に対しても減額措置など、同様の課金処理を行うようにしておくとよい。また、本明細書中で記載する画像付加手段１６の様々な応用例についても、ファイル記録手段でのファイル記録を画像記録手段１５での画像記録と同様に、適用可能とする。
【００４９】
また、画像付加手段１６は、画像情報入力手段から入力される画像情報に対して所定の宣伝画像情報の付加を行うか否かを、ユーザに決定させる付加決定手段１６ａを有することが好ましい。付加決定手段１６ａは、ユーザに、画像記録時に付加するか否かを操作入力させ、その入力に基づいて付加するか否かを決定することとなる。ここで、宣伝画像情報の付加を必ず実行するようにすると、ユーザは未付加の複写物を得たいときもあるのでサービスを提供しても利用者が少なくて成り立たず、また付加／未付加をユーザに選択させた場合には、課金額の減額がないとユーザは宣伝を付加することを選択することは稀となる。従って、後述の記録対価課金手段１８ａは、この付加により、その対価を減額することが好ましい。
【００５０】
また、付加決定手段１６ａを具備して宣伝画像情報を付加しないこともできることから、或いは後述するＣＩＳ（密着型光学読取方式）方式の画像読取手段を採用できることからも、本発明が、従来技術のごとくプラテンガラスに必ずコピー画像として再現される刻印を付けるようなものではないことが分かる。
【００５１】
また、画像付加手段１６は、付加／未付加の選択だけでなく、宣伝選択手段１６ｂを有することが好ましい。宣伝選択手段１６ｂは、所定の宣伝画像情報を複数保持し、画像情報入力手段から入力される画像情報に対して複数保持された中から付加する１又は複数の宣伝画像情報を、ユーザに画像記録時に選択させる。ユーザが複数の宣伝画像情報の中からの希望する宣伝画像情報を選択することを可能とすることで、好みでない宣伝主の宣伝画像を記録しなくても済むことから、宣伝画像情報自体の記録の頻度を上げることができる。
【００５２】
また、画像形成装置１の管理者（例えば、装置の設置者や設置場所の経営者等）が宣伝画像情報を設定できるようにするために、画像付加手段１６は、所定の宣伝画像情報の内容を登録設定させる付加情報設定手段１６ｃを有することが好ましい。特に、宣伝は、商品と結びついていることや宣伝主の経営戦略に基づいて依頼されるもので、期間を限定して契約することが多く、宣伝画像情報の変更ようにしておくとよい。また、設置場所によっては、宣伝画像を付加できないような場所があったり、宣伝画像を付加しないでコピー代金のみで収益を上げようとする考え方もあるので、管理者に宣伝画像情報の付加／未付加を設定させる手段も併せて備えるとよい。
【００５３】
さらに、画像形成装置１は、付加情報設定手段１６ｃにおける管理者認証だけでなく、各種設定（上述の付加／未付加設定も含むとよい）を行うためのユーザ（主に管理者ユーザ）を認証するユーザ認証手段１１を備えることが好ましい。付加情報設定手段１６ｃは、ユーザ認証手段１１で認証された画像形成装置の管理者にのみ、所定の宣伝画像情報の内容を設定させる。画像付加手段により画像データに対して付加される宣伝画像情報を設定する設定手段を備える。
【００５４】
また、画像付加手段１６（或いは画像形成装置１）は、画像情報入力手段で入力される画像情報の特徴を判定する特徴判定手段１６ｄを備えるようにしてもよい。そして、画像付加手段１６は、特徴判定手段１６ｄで判定された特徴に応じて所定の宣伝画像情報の形態を決定するようにするとよい。ここで、宣伝画像情報の形態とは、記録する宣伝画像の数、濃度、色、大きさ、位置などを表し、例えば画像の特徴が写真である場合と文字原稿の画像である場合とで、濃度を異ならせるなどの適用ができる。
【００５５】
さらに、図示しないが、画像形成装置１には、ユーザ自身に関するユーザ宣伝情報を入力させるユーザ情報入力手段を備えるようにしてもよい。このユーザ情報入力手段は画像処理モード決定手段１４やユーザ認証手段１１などと共に、例えば操作パネルなどに備えればよい。そして、画像付加手段１６は、所定の宣伝画像情報の一部としてユーザ情報入力手段で入力されたユーザ宣伝情報も併せて付加するとよい。このように、ユーザがユーザ自身のことを宣伝したい場合にも、このユーザ情報入力手段で宣伝内容を文字や画像情報を取り込むなどして入力し、それを付加して、印刷等の記録を行って、ユーザが配布することができる。また、ユーザ宣伝情報を付加した場合、後述の記録対価課金手段１８ａにおける課金は、その分、額を上げるか、或いは元々付加する宣伝画像情報の減額分と併せて差し引きゼロとするなどに設定しておいてもよい。さらに、記録対価課金手段１８ａは、複数部数の記録の場合、記録操作を行ったユーザが他人に渡すことが予期されるので、宣伝画像付加による減額の程度を増やしてもよい。
【００５６】
上述したように、画像形成装置１は、画像記録手段１５での記録に対してユーザに課金を行う記録対価課金手段１８ａを備えることが好ましく、画像形成装置本体の外部に備えてもよい。記録対価課金手段１８ａは、画像付加手段１６により宣伝画像情報を付加するか否かに応じて課金処理を行えばよい。また、記録対価課金手段１８ａは、画像付加手段１６により付加される宣伝画像情報に応じて課金処理を行うようにしてもよい。特に宣伝選択手段１６ｂにより選択可能な宣伝画像情報によって課金額を異ならせてもよい。また、記録対価課金手段１８ａは、画像付加手段１６により付加される宣伝画像情報の形態（数、濃度、色、大きさ、位置など）に応じて課金処理を行うようにしてもよい。
【００５７】
また、画像形成装置１には、宣伝主に対して宣伝料を課金（請求書の送付だけでもよい）するための宣伝対価課金手段１８ｂを備えることが好ましい。宣伝対価課金手段１８ｂは、ネットワークを介して、宣伝主のＰＣやサーバといった情報処理装置に対して課金する手段である。このように本発明は、画像形成装置１と、画像形成装置１にネットワークを介して接続された宣伝主の情報処理装置とを備え、印刷サービスをユーザに提供する印刷サービス提供システムとしての形態も採り得る。
【００５８】
宣伝対価課金手段１８ｂは、所定の宣伝画像情報が付加された数量をカウントする付加量計数手段と、付加量計数手段で計数された数量分の対価を算出する対価算出手段とを有するようにしてもよい。そして、対価算出手段で算出した対価をネットワーク経由で情報処理装置に課金するとよい。
【００５９】
また、画像形成装置１には、図示しないが、宣伝主から宣伝画像情報（その元となる情報であってもよい）を受け取る宣伝受取手段を備えることが好ましい。宣伝画像情報は、付加情報設定手段１６ｃによって、用紙に印刷された状態で受け取ってそれを管理者が原稿読み取りを行って画像形成装置１に取り込むこともできるし、同じく手段１６ｃにより記録媒体などで管理者が受け取って画像形成装置１に読み込むこともできる。しかし、それとは別に、或いはそれら機能と併設して、宣伝主の情報処理装置からネットワーク経由で宣伝画像情報を受け取るようにする宣伝受取手段を備えることが好ましい。また、宣伝受取手段は、その対価を設定して受け取るか、或いは、対価を指定した宣伝画像情報を受け取るか、いずれかのルールを決めて、それに対応可能な手段に構成しておくとよい。
【００６０】
そして、このように本発明は、上述の印刷サービス提供システムとしての形態も採り得、宣伝受取手段と宣伝対価課金手段１８ｂとは、システム内、好ましくは画像形成装置１内に併せて備えることが好ましい。
【００６１】
また、画像記録手段１５は、記録材上の両面に対して画像を記録する手段を有することが好ましく、その場合、画像付加手段１６は、記録材の第１の面に記録される画像及び第２の面に記録される画像の双方又は片方に、所定の宣伝画像情報を付加する手段を有することが好ましい。両面に記録するためには、両面を読み取る第一及び第二画像情報入力手段１２，１３を備えて、それぞれで読み取った画像をそれぞれの面に記録してもよいし、２枚読み取りそれを記録材の両面に印刷するようにしてもよい。
【００６２】
片面のみに記録するか、或いは両面に記録するかは、付加決定手段１６ａによってユーザが設定可能とするか、管理者が付加情報設定手段１６ｃによって設定可能とするか、或いは双方で設定可能とする。片面のみの場合、裏面にのみ空画像情報に付加することも可能である。また、画像付加手段１６は、記録材の両面に記録される場合、それらの所定の宣伝画像情報を、記録材の表裏においてずれた状態となるように付加するようにすることが、ユーザに切り取られることを防止する上で好ましい。
【００６３】
図２は、本発明に係る画像形成装置を含むシステムの構成例を示す図で、１は画像形成装置の一例としてのデジタル複合機、２０は第一画像読取部、２１は第二画像読取部、２２は操作部、２３は画像形成部、２４は記憶装置の一例としてのハードディスク（ＨＤ）、２５はＦＡＸモデム、２６は通信部、２７は管理部、２８はタイマ、２９は消去処理部、３０は機器制御部、３１は画像付加部、３２は課金ユニットである。
【００６４】
図２で例示するデジタル複合機１は、第一画像読取部２０、第二画像読取部２１、操作部２２、画像形成部２３、ＨＤ２４、ＦＡＸモデム２５、通信部２６、管理部２７、タイマ２８、消去処理部２９、機器制御部３０、及び本発明の特徴部分である画像付加部３１などで構成され、さらに課金ユニット３２が内装又は外装されている。
【００６５】
また、デジタル複合機１には、図２で例示するように、電話回線網１０４により例えば外部ＦＡＸ１０６が接続されていると共に、ＬＡＮやＷＡＮ（Ｗｉｄｅ  Ａｒｅａ  Ｎｅｔｗｏｒｋ）等のネットワーク１０３を介して、複数の端末ＰＣ１０２ａ，１０２ｂ，．．．及びさらにインターネット網１０５経由でネットワーク１０３外部にあるインターネットＦＡＸ１０７や外部ＰＣ１０８や外部サーバ１０９などに接続されていてもよい。これらのネットワーク構成により、各種データの送受信が可能となり、各種画像情報の入力も可能となる。そして、外部ＰＣ１０８や外部サーバ１０９は、宣伝主のＰＣやサーバとして設置しておくことができる。
【００６６】
操作部２２は、操作画面の表示を行う出力部（表示部）２２ｂとその表示を元に利用者に各種設定及び操作内容を入力させる入力部２２ａとを備えるタッチパネル等でなる。操作部２２では、通常の入力データの指定、保存先の指定、認証データ（認証コード等）の入力、保存条件設定を、ユーザに行わせる。その他、操作部２２では、本発明に関する、印刷／データ保存／スキャンといった画像処理モードの選択設定や、宣伝画像情報（及びその色、位置、数、大きさ）の指定、付加／未付加の指定、並びにユーザ宣伝情報の入力設定を含む各種設定情報の入力や、変倍設定、両面印刷設定、自動用紙選択、Ａ４，Ｂ５等の用紙選択、給紙部２３ｄにおける給紙トレイの中からの給紙トレイ選択などの設定も、ユーザに行わせる。但し、本発明の画像付加処理に係わる設定のうち、上述したように管理者のみ或いはユーザのみが実行できるような設定もある。
【００６７】
画像読取部２０は、操作部２２での操作に基づき、原稿検知センサ２０ｂによって原稿の有無を検知しＣＣＤ２０ａでその原稿を読み取り画像データとして出力する。同様に、ＣＩＳ方式の画像読取部２１は、操作部２２での操作に基づき、原稿検知センサ２１ｂによって原稿の有無を検知しＣＣＤ２１ａでその原稿を読み取り画像データとして出力する。双方とも出力先は、ファイリング処理を実行する場合には、画像形成部２３を介したＨＤ２４或いは直接ＨＤ２４となり、印字の場合には画像形成部２３となり、データ送信の場合には通信部２６等となる。ＦＡＸモデム２５は外部ＦＡＸ１０６とのファクシミリ通信を行うためのモデムである。通信部２６は、ネットワーク１０３経由で接続されたデジタル複合機１の外部機器との通信を制御する。
【００６８】
画像形成部２３は、画像読取部２０，２１で読み取った画像データやＦＡＸモデム２５或いは通信部２６で受け取った受信データ（受信ファイル）などをメモリ２３ｂに一時記憶し、レーザスキャナユニット（ＬＳＵ）を搭載した印字部２３ａから用紙等の媒体に画像を形成する。その際、一旦ＨＤ２４に印刷データを蓄積し続け、全部のデータが格納された段階で再度メモリ２３ｂに読み出して印字部２３ａで画像を形成してもよい。用紙は、給紙部２３ｄから供給され、印字後、排出部２３ｅから排出される。画像形成部２３では、暗号処理部２３ｃにてメモリ２３ｂに記憶された画像データ等のデータを暗号化してＨＤ２４に記憶することも可能となっており、逆に、ＨＤ２４に記憶された暗号化データを復号化してメモリ２３ｂを介してネットワーク１０３等を経由して外部機器に出力することや印字部２３ａで媒体として印字出力することも可能となっている。消去処理部２９は、ＨＤ２４に記憶されたデータを、セキュリティ保持や記憶容量確保などのために消去する処理を行う。
【００６９】
上述のごとく、デジタル複合機１には、操作部２２にキー入力部２２ａと表示部２２ｂが設けてあり、デジタル複合機１の機能指示操作の他にＩＤ入力が行なえる。ＩＤ入力の他にＩＤカードを入力しその情報を読み取るＩＤカード読み取り器を、デジタル複合機１に具備してもよい。このように、デジタル複合機１には、何らかのユーザ識別手段、例えばこのような認証手段を備えることが好ましい。認証手段は、利用者情報に基づいて一般ユーザや管理者ユーザを認証し自機１の使用を可能とするものであればよく、デジタル複合機１は、まずこの認証手段により使用者を限定する。但し、管理者以外のユーザは認証を経ずとも処理を実行できるようにしておくとよいが、例えば課金ユニット３２における予めの金銭の投入などで認証を行うようにしてもよい。さらに、デジタル複合機１は、通信部２６により、接続された機器（端末ＰＣ１０２ａ，１０２ｂ等）との双方向のデータ通信が行なえる。
【００７０】
課金ユニット３２は、図１の課金手段１８に対応する部位であり、機器制御部３０に接続され、管理部２７等に管理されている課金のための課金情報２７ｂ（ユーザに対する課金情報及び宣伝主に対する課金情報）を適宜読み出して、画像形成部２３等で画像記録処理がなされた分の課金を、画像付加部３１での宣伝画像情報の付加も鑑み、課金を実行するためのユニットである。課金ユニット３２には、金銭の直接投入や、クレジットカードの読み取り手段やその他の課金に対応するようなユニットにしておくことが好ましい。
【００７１】
機器制御部３０は、上述した各部に接続された主制御部であり、管理部２７の管理データ及びタイマ２８からのタイマ時間を参照しながら、デジタル複合機１の各部間のデータのやり取りをはじめとしてデジタル複合機１の動作を統括的に制御する。管理部２７は、例えばＨＤ２４に格納されたフォルダ情報や保存条件の情報、自機１のＩＰアドレスなどを管理する。管理部２７は、さらに本発明に係る宣伝画像情報２７ａを、各宣伝画像情報２７ａを使用する設定に応じ、機器制御部３０を介して画像付加部３１がメモリ２３ｂに読み出すことを可能とするように、保持し管理している。同様に、管理部２７には、上述のごとく課金情報２７ｂも保持している。タイマ２８は、デジタル複合機１の待機状態の時間を計時し、この時間を機器制御部３０に通知する。
【００７２】
機器制御部３０における制御の一例を挙げると、操作部２２は、利用者の操作入力により指示された複写要求や各種の記録条件等を機器制御部３０に通知し、機器制御部３０は、デジタル複合機１の動作状態等を操作部２２の表示部２２ｂの表示画面に表示すると共に、画像形成部２３に印字処理等を指示する。また、印字処理においては、本発明に係わる宣伝画像情報の付加並びにその色やサイズ等の形態の変更の制御も行う。また、機器制御部３０は、ファイリングを実行する際には、ＰＣ１０２ａ等から送信された外部送信データ或いは画像読取部２０，２１で読み取られたデータに対して、管理部２７によってＨＤ２４内のフォルダ情報や保存条件の情報を参照するなどしてデータ変換を行い、ＨＤ２４の指定フォルダに変換後の画像データを保存する。
【００７３】
本発明の主たる特徴部分である画像付加部３１は、図１の画像付加手段１６に対応する部位であり、画像読取部２０，２１や通信部２６等から入力された画像情報に対し、自機１を特定する視認可能な所定の宣伝画像情報を付加する。画像付加部３１については付加する宣伝画像情報の例と共に後述する。画像付加部３１は、付加決定手段１６ａで説明した付加／未付加の判定を行う付加決定部３１ａ、宣伝選択手段１６ｂに対応した宣伝選択部３１ｂ、付加情報設定手段１６ｃに対応した情報設定部３１ｃ、及び、特徴判定手段１６ｄに対応した特徴判定部３１ｄ、さらにはユーザ宣伝情報の入力に対応する部位など、様々な部位を備える。また、画像付加部３１も上述したように機器制御部３０によって制御される。
【００７４】
画像付加部３１が機器制御部３０の命令によって実行する処理の一例を説明する。例えば、画像読取部２０又は画像読取部２１から入力された画像情報（印刷データ）を、図示しない画像処理部がバッファメモリ２３ｂに保持し、これを展開することで印刷画像データを生成する。画像処理部は、機器制御部３０に接続されており、機器制御部３０から指示信号を受け取り、その信号の情報に合わせて、メモリに入ってきたデータを処理する。そのとき、必要に応じて宣伝画像情報を付加する。画像付加処理を実行する場合、機器制御部３０からの指示信号により、画像付加部３１は、メモリ２３ｂ中の印刷画像データに付与すべき宣伝画像情報２７ａを管理部２７から読み出して用い、宣伝画像データを生成する。生成した宣伝画像データは、メモリ２３ｂ中の印刷画像データと合成されて、プリンタ（画像形成部２３）に送られ、用紙等の被画像形成体に印刷されて出力される。出力後、課金ユニット３２が、機器制御部３０からの命令によって、画像付加部３１での宣伝画像情報の付加を鑑みて、予め投入された金銭やクレジットカードに対して、課金処理し、同時に、付加された宣伝画像情報の宣伝主のＰＣ１０８やサーバ１０９などに宣伝分の課金を行う。
【００７５】
また、本発明に係るデジタル複合機１の構成や外部機器との接続形態は、この例に限ったものではない。各部は、全てがハードウェアで構成される必要はなく、デジタル複合機１をそれらの各部として機能させるプログラムを機器制御部３０や画像付加部３１の制御部、或いは印字部２３ａ内の制御部などに組み込み（或いは一部を管理部２７に組み込み）、演算装置に実行させることでも容易に実装できる。また、上述のごときプログラムは、例えばデジタル複合機１の機器制御部３０、画像付加部３１、印字部２３ａ、管理部２７などに、ファームウェアとして実装されることが多く、ファームウェアに使用するデータも同様に格納される。
【００７６】
ここで、画像読取部２０，２１について補足的に説明する。図３は、図２の画像形成装置における画像読取部の一構成例を示す概略断面図で、本発明に係る画像読取装置の一構成例を示す概略断面図でもある。上述した第一画像読取部２０及び第二画像読取部２１を併せて装備した一例が、図３のイメージスキャナユニット４０である。
【００７７】
イメージスキャナユニット４０は、ＳＰＦ（Ｓｉｎｇｌｅ  Ｐａｓｓ  Ｆｅｅｄｅｒ）を備え、原稿搬送路を１回搬送することで原稿の両面の画像を読み取る機能を備えたものである。イメージスキャナユニット４０は、原稿載置トレイ４２から原稿排出トレイ４３に至る原稿搬送路４４を備えている。原稿は、原稿搬送路４４を原稿載置トレイ４２から原稿排出トレイ４３へ向けて搬送される。原稿の搬送方向において原稿搬送路４４の上流側端部にピックアップローラ４７及び捌きローラ４８が配置され、原稿載置トレイ４２上に積載された原稿がピックアップローラ４７及び捌きローラ４８によって１枚ずつ原稿搬送路４４へ供給される。また、原稿の搬送方向において原稿搬送路４４の下流側端部に排出ローラ４９が配置され、原稿搬送路４４を搬送されてきた原稿は排出ローラ４９によって原稿排出トレイ４３へ排出される。
【００７８】
原稿搬送路４４中に、ＣＣＤ方式の画像読取部４５とＣＩＳ方式の画像読取部４６とが、原稿の搬送方向に沿ってこの順序で配置されている。ＣＣＤ方式の画像読取部４５は原稿の第１面の画像を読み取り、ＣＩＳ方式の画像読取部４６は原稿の第２面の画像を読み取る。画像読取部４５は、後述するように結像するレンズを介して集約縮小する縮小光学系をもっている。また、ＣＩＳ方式の画像読取部４６については、その詳細を説明しないが、画像読取部４６は、ＣＣＤ電荷転送方式のラインセンサが原稿の幅の分だけ設置してある。
【００７９】
画像読取部４５，４６は、一般的に、露光ランプと、露光ランプを点灯させるインバータ回路と、露光ランプから照射され原稿に反射した光をフォトダイオード（ＦＤ）で検出して電荷に変換し、この電荷をＣＣＤで転送することで電気的に検出するＣＣＤ転送方式のイメージセンサとを備える。第１の画像読取部４５は、露光ランプ４５ａ及び第１の反射ミラー４５ｂを備えた第１の走査ユニット４５ｃ、第２の反射ミラー４５ｄ及び第３の反射ミラー４５ｅを備えた第２の走査ユニット４５ｆ、結像レンズ４５ｇ、ＣＣＤセンサ４５ｈを備えている。露光ランプ４５ａから照射され原稿の第１面で反射された光は、第１の反射ミラー４５ｂ、第２の反射ミラー４５ｄ及び第３の反射ミラー４５ｅで順次反射されて結像レンズ４５ｇに入射する。結像レンズ４５ｇは、入射した光をＣＣＤセンサ４５ｈ上に結像させる。ＣＣＤセンサ４５ｈは、結像レンズ４５ｇによって結像された光を光電変換して画像データとして読み取る。
【００８０】
第１の走査ユニット４５ｃ及び第２の走査ユニット４５ｆはそれぞれ、原稿固定方式で原稿の画像を読み取る際に原稿が載置されるプラテンガラスに沿った副走査方向に変位自在に構成されている。第１の画像読取手段４５は、第１の走査ユニット４５ｃ及び第２の走査ユニット４５ｆを副走査方向に変位させることで、プラテンガラス上に載置され固定された原稿の画像を読み取り、原稿の画像の画像データを取得することができる。また、画像読取位置には、別途プラテンガラスが配置されており、露光ランプ４５ａから発せられた光は、そのプラテンガラスを透過して原稿に照射される。この画像読取位置における原稿搬送路４４のそのプラテンガラスに対向する壁面には、シェーディング補正に用いられる標準白板が配置されている。このように、第１の画像読取部４５を原稿移動方式と原稿固定方式とに兼用できるように構成したことで、原稿移動方式の画像読取手段とは別に原稿固定方式の画像読取手段を設けることなく、原稿固定方式で原稿の画像を読み取ることができる。
【００８１】
ＣＣＤ方式の画像読取部４５の上流側には、原稿搬送モータで駆動される搬送ローラ５０，５１と原稿搬送路の湾曲部５２とが原稿の搬送方向に沿ってこの順序で配置されている。一方、ＣＣＤ方式の画像読取部４５とＣＩＳ方式の画像読取部４６との間には、搬送ローラが配置されておらず、原稿搬送路４４が略直線状に形成されているが、搬送ローラを配置してもよい。
【００８２】
ここで、イメージスキャナユニット４０として画像読取装置（或いは画像形成装置や画像記録装置における画像読取ユニット）を説明したが、例示したユニット構成に限ったものではなく、画像読取部の数も制限なく１つであってもよい。また、第１の画像読取部４５が縮小光学系を含むことで、画像読取のための光路長が短くなり、イメージスキャナユニット４０を小型化可能としているように、第２の画像読取部４６として光路が必要なくなるコンタクトイメージセンサ（ＣＩＳ）ではなく、同じく縮小光学系のものを採用するなどしてもよい。
【００８３】
本発明では、プラテンガラス上に付加情報を物理的に刻印するような構成を採用していないので、画像読取部４６のようなラインセンサで原稿を流して読み取った画像情報であっても宣伝画像情報を付加することが可能である。すなわち、従来の磨りガラスのパターンを読み取る方式は採用できない、搬送されている原稿を読み取った画像情報に対しても、宣伝画像情報を電子的にデータを埋め込むことで付加することができる。従って、従来のように、プラテンガラスが破損した場合など、交換に費用と時間を要することはなくなる。また、図３の例では、画像読取部４５で読み取った画像情報であっても同様に付加することができる。このように、原稿の搬送路で原稿を読み取る手段により画像情報が入力できるようにすることが好ましい。この手段は、原稿を搬送する過程において原稿画像を読み取る読取手段である。
【００８４】
ここで、機器制御部３０について補足的に説明する。図４は、図２の画像形成装置における機器制御部の一構成例を示す図である。上述した機器制御部３０は、例えば、ＣＰＵ（Ｃｅｎｔｒａｌ  Ｐｒｏｃｅｓｓｉｎｇ  Ｕｎｉｔ）３０ａ、ＲＡＭ（Ｒａｎｄｏｍ  Ａｃｃｅｓｓ  Ｍｅｍｏｒｙ）３０ｂ等のメモリ、ＲＯＭ（Ｒｅａｄ  Ｏｎｌｙ  Ｍｅｍｏｒｙ）３０ｃ、入力Ｉ／Ｆ３０ｅ、及び出力Ｉ／Ｆ３０ｆが、バス３０ｄにより接続されてなる。
【００８５】
ＲＯＭ３０ｃには、ファームウェアとして、基本制御プログラムや本発明に係る画像付加のための制御プログラム、各種変換用のデータ（設定用テーブルや色変更テーブル等）が格納されている。上述したように、これらプログラムやデータは各部に分散して格納されていてもよい。本発明に係る制御プログラム及びデータとは、画像読取部２０，２１で読み取った画像情報に付加情報を付加するプログラムや、その付加情報を記録紙の大きさや色等に応じて変更するためのプログラム及び各基本色に対する記録紙の色に応じた補正値などを記した色変更テーブルなどが挙げられる。
【００８６】
これらプログラムは、ＣＰＵ３０ａ等の演算処理装置を備えたデジタル複合機１に組み込み、デジタル複合機１における演算処理装置（主としてＣＰＵ３０ａ）に実行させるためのプログラムである。このプログラムは、本発明に係る画像付加処理のステップ、及び好ましくは課金処理や宣伝受取処理のステップを、ＣＰＵ３０ａに実行させるためのプログラムを少なくとも含むものとする。従って、本発明に係るプログラムは、演算処理装置等を含む制御部を備えた画像処理装置（画像形成装置、画像読取装置、画像記録装置等）に組み込み、その画像処理装置の制御部を画像付加手段１６として機能させるためのプログラムである。
【００８７】
そして、これらのプログラムのうち、本発明に係る画像付加処理等のための制御プログラムは、ＲＯＭ３０ｃからＲＡＭ３０ｂにＣＰＵ３０ａによって読み出され、画像形成の対象として画像読取部２０，２１から入力Ｉ／Ｆ３０ｅを介して入力された画像情報にその画像情報とは異なる所定の宣伝画像情報を付加して、記録紙にモノクロ画像（カラー対応であればカラー画像）を形成する画像形成部２３（及び画像読取部２０，２１）に対して出力Ｉ／Ｆ３０ｆを介して出力するように、ＣＰＵ３０ａを駆動させる。ここで、宣伝画像情報等の必要な情報は、入力Ｉ／Ｆ３０ｅを介して外部のＨＤ２４等から入力するか、或いはＲＯＭ３０ｃに予め格納させておき読み出すかによって取得するとよい。なお、ここで取り扱われる情報は、入力Ｉ／Ｆ３０ｅにより入力され、その処理時に一時的にＲＡＭ３０ｂに蓄積され、その後、各種ＲＯＭ３０ｃや出力Ｉ／Ｆ３０ｆを介してハードディスクに格納され、必要に応じて、ＣＰＵ３０ａによって読み出し、修正・書き込みが行われる。
【００８８】
また、このような宣伝画像付加処理等の制御プログラムは、それを記録したコンピュータ読み取り可能な記録媒体としての提供も可能である。記録媒体としては、具体的には、ＣＤ−ＲＯＭ、光磁気ディスク、ＤＶＤ−ＲＯＭ、フレキシブルディスク、フラッシュメモリ、及びその他各種ＲＯＭやＲＡＭ等が想定でき、上述したプログラムを、これら記録媒体に記録して流通させることにより、当機能の実現を容易にする。そして、画像形成装置（及び宣伝主の情報処理装置）に対して、それぞれ該当するプログラムを記憶させておき、必要に応じて読み出すことにより、本発明に係わる宣伝画像付加の機能を実行することができる。
【００８９】
以下、上述のごとき装置構成例に適用可能な本発明の様々な実施形態について、説明する。図５乃至図１０は、本発明の画像形成装置において印刷処理された記録材の様々な例を示している。
【００９０】
本発明における宣伝画像情報とは、例えば図５において視認可能なウォーターマーク６２ａ，６２ｂのごとき宣伝画像情報（この例では「ＳＨＡＲＰ  ＡＱＵＯＳ」）を、入力された画像情報に基づく印字結果６１と共に記録材６０上に印字するためのデータとなる。本発明でいうウォーターマークは、少なくとも人の目で視認可能なように、背景に印字した（電子ファイルの場合には背景画像として組み込んだ）マークを指す。このマークは、文字を点線や鎖線で記したものであってもよい。そして、ウォーターマーク６２ａ，６２ｂで例示するマークは、入力された画像情報が印字されると想定される位置が記録材の切断によって単独で出回らないような位置、数、大きさをもつものとする。なお、図５乃至図１０では、ウォーターマークとして複数のマークを同じ記録材上に印字した例を示しているが、例えば長い一つの文字列が円状に配置されたウォーターマークなどであってもよい。
【００９１】
このような宣伝画像情報を付加することで、例えば、印字された記録材に「ＳＨＡＲＰ  ＡＱＵＯＳ」がマークされていたら、記録材を見た人、すなわち印刷したユーザだけでなく、その印刷物を配布された者が、「ＳＨＡＲＰ  ＡＱＵＯＳ」という宣伝情報を視認できたり、記録された電子ファイルの背景に「ＳＨＡＲＰ  ＡＱＵＯＳ」がマークされていれば、そのファイルを開いた者（同じく、記録したユーザだけでなくそのファイルを配布された者も含む）が、ＳＨＡＲＰ  ＡＱＵＯＳ」という宣伝情報を視認できたりする。
【００９２】
図５で例示するように、所定の宣伝画像情報によって付加される宣伝画像６２ａ，６２ｂは、記録材６０上の複数の分割領域に上下端の半分で分割したときのそれぞれの分割領域において同じ位置に配置されて記録されるようにしてもよい。この例では「ＳＨＡＲＰ」の宣伝画像６２ａと「ＡＱＵＯＳ」の宣伝画像６２ｂとは異なる画像であるが、セットとして扱うか、或いは別の宣伝主のものを記録するようにしてもよい。また、図６で例示するように、所定の宣伝画像情報によって付加される宣伝画像６５ａ〜６５ｄは、記録材６３上で、上下端に分割し且つ左右端で分割したときのそれぞれの分割領域において同じ位置に配置されて記録されるようにしてもよい。このような位置への記録を可能とするように、所定の宣伝画像情報は、分割領域と同数の宣伝画像に関する情報とするとよい。
【００９３】
このような宣伝画像を付加することで、真ん中で切断されて配布されても両方の領域に宣伝情報が印刷されているので、必ず宣伝効果が得られる。このような考え方は、図５に示すように水平方向に分割された２つの領域に限らず、垂直方向での分割、或いは水平及び垂直方向での分割を採用してもよいし、分割数も３以上の領域であってもよい。各分割領域には、中心近くに宣伝画像が印字されることが好ましい。また、分割領域としては、或る面積に対して１つ宣伝画像情報を中心近くに印字されるような分割の方法を採用してもよい。従って、斜めに領域を分割するなど様々な形態が挙げられる。このように、画像が記録される記録材上の好ましくは相対する位置に、少なくとも２つの所定の画像情報を付加するとよい。なお、上述したように、１つの宣伝画像情報であっても、文字を円状に並べるなどして全体的に大きな領域を宣伝画像で占めればよく、入力した画像情報と重なるような位置（入力された画像全体を表す位置）に付加するとよい。
【００９４】
また、図２及び図３で例示したように、画像記録手段１５として、記録材上の両面に対して画像を記録する手段を有する形態にあっては、画像付加手段１６は、図８に例示するように、記録材７０の第１の面に記録される画像７１と第２の面に記録される画像７３のそれぞれに所定の宣伝画像７２ａ，７２ｂ，７４ａ，７４ｂを付加するようにすることが好ましい。
【００９５】
さらに、画像付加手段１６は、記録材７０の両面に記録される所定の宣伝画像情報を、宣伝画像７２ａ，７２ｂと宣伝画像７４ａ，７４ｂで例示したように、記録材７０の表裏においてずれた状態となるように付加することが好ましい。このようにすることで、両面の場合であっても片面と他の片面とが重ならないようにできるので、切り取っても可能な領域を減らすことができ、出所が把握できないように切断することが困難となって宣伝効果を上げることができる。
【００９６】
また、入力された画像情報により宣伝画像情報の形態を確定させるといったものを中心に説明したが、記録材の種類に応じてその形態を確定させてもよい。従って、画像付加手段１６は、所定の宣伝画像情報として、画像形成装置で取り扱う記録材に応じた宣伝画像情報を保持する手段を有しておくことが好ましい。そして、画像付加手段１６は、画像記録手段１５で記録対象となる記録材に応じて、保持された宣伝画像情報を付加する。
【００９７】
ここで、記録材に応じたとは、画像形成装置で取り扱う記録材のサイズ（Ｂ５，Ａ４等の大きさ）に応じたものであってもよく、この場合、サイズ別に宣伝画像情報を保持しておいて、実際に使用する記録材のサイズに合った宣伝画像情報を使用する。さらに、予め宣伝画像情報をサイズ別に用意する方法の他には、画像付加手段１６が、記録材のサイズに応じて所定の宣伝画像情報を付加する所定位置を切り換えるようにしてもよい。例えば、図５で例示したＡ４やＢ５用紙等の記録材６０上の宣伝画像６２ａ，６２ｂの位置と、図６で例示したＡ３やＢ４用紙等の記録材６３上の宣伝画像６５ａ，６５ｂ，６５ｃ，６５ｄの位置とを異ならせる。例えば、少しずらすだけでもよく、宣伝効果を上げることを鑑みて設定しておけばよい。また、図５及び図６の例で宣伝画像の数も変更しているように、サイズが大きくなるに従って宣伝効果の面で必要な宣伝画像も大きくなるか、或いは数を増やす必要がある。
【００９８】
また、記録材に応じたとは、画像形成装置で取り扱う記録材の色に応じたものであってもよく、この場合、記録材の色別に宣伝画像情報を保持しておいて、実際に使用する記録材の色に合った宣伝画像情報を使用する。記録材の色に合った宣伝画像情報としては、色を異ならせるだけでもよく、画像形成装置で取り扱う記録材の色に応じた視認可能な色をもつものを保持しておけばよい。ここで、記録材の色に対し宣伝画像情報の色は、宣伝効果が十分得られる程度に、濃度、色相、明度、彩度等を異ならせておけばよい。なお、画像形成装置がモノクロのみ対応の場合には色の明度（濃度）の差だけによって対応すればよく、カラー画像形成装置の場合には色をフルに生かして宣伝画像情報を作成しておけばよい。例えば、図５で例示した記録材６０（白色と仮定）上の宣伝画像６２ａ，６２ｂの色（薄いグレー）と、図７で例示した記録材６６（ピンク色と仮定）上の宣伝画像６８ａ，６８ｂの色（濃いグレー）とのように色を異ならせる。さらに、宣伝画像情報は、二次複写した場合でもそれが分かるような濃さや色にするようにしてもよい。従って、複写時に複写結果として表れる色であることが２次複写でも宣伝することが可能であり好ましい。
【００９９】
また、記録材の色に合った宣伝画像情報としては、記録材の色に応じて画像の形状自体を変えてもよく、例えば写真用紙と普通用紙とで異なる文字列の宣伝画像情報を付加するようにしてもよい。
【０１００】
なお、記録材の色に関する情報は、給紙トレイの設定、色の設定等のユーザ入力により、得るようにすればよい。また、記録材の色に関する情報を取得する別の形態として、カラー画像形成装置に、給紙時に記録材の色を判別する色判別手段を備えるようにしてもよい。例えば、複数の給紙トレイがあったとしても必ず記録材が通過する位置に電荷結合素子（ＣＣＤ）を設置しておき、それによって色を判別すればよい。
【０１０１】
また、画像記録手段１５は、画像情報入力手段で入力された画像情報を記録する際に画像の形態を変換する画像変換手段を有することが好ましい。画像変換手段としては、拡大／縮小による変倍や集約などによって、画像を変換する手段を指す。そして、画像付加手段１６は、画像変換手段で画像の形態が変換された場合でも、画像記録手段１５で記録対象となる記録材に応じて、保持された宣伝画像情報を付加するようにすればよい。例えば、図９のような画像７６が印字されている原稿７５に対し、等倍印刷する場合には図５で例示した記録材（Ａ４と仮定）６０上の宣伝画像６２ａ，６２ｂのように付加し、縮小して図９で例示した記録材（Ｂ５と仮定）７７上に画像７８を形成する場合には、宣伝画像７９ａ，７９ｂのように、同様に縮小した宣伝画像を印刷すればよい。このような宣伝画像は、例えばＡ４用に宣伝画像６２ａ，６２ｂを印字するための宣伝画像情報が、Ｂ５用に宣伝画像７９ａ，７９ｂを印字するための宣伝画像情報が保持されているものとする。
【０１０２】
このように、画像記録手段１５において画像が記録される記録材が確定された段階で、画像付加手段１６により付加される画像情報が確定されるようにしておくとよい。モード、倍率等の変換の後、加工して記録画像として生成し、その後、宣伝画像情報を、好ましくは実行データ生成直前に合成する。この形態は、特に、拡大を伴う変換がなされたときには、宣伝画像情報が小さくなることもなく、宣伝画像を画像に付加できる。
【０１０３】
また、上述したように、画像付加手段１６（或いは画像記録手段１５）は、画像付加手段１６は、特徴判定手段１６ｄで判定された特徴に応じて所定の宣伝画像情報の形態（数、位置、濃度、大きさなど）を決定するとよい。このように、記録材上に記録再現される画像の特徴に応じて付加される所定の画像情報の形態を確定するようにするとよい。例えば、画像の特徴により写真画像であると判定された場合と文字画像であると判定された場合とで、付加する宣伝画像情報を異ならせればよい。なお、特徴判定手段１６ｄとしては、単にユーザが写真モードや文字モードを選択した結果として判定するものであってもよいし、画像を読み取ってその特徴を抽出するような処理を経て特徴を判定するようなものであってもよい。
【０１０４】
また、図１０に示すように記録材８０上の原稿画像８１の上に一カ所だけ宣伝画像８２を記録するようにしてもよく、この例のように単に会社のロゴ「ＳＨＡＲＰ」のみの記録でもよい。
【０１０５】
ここで、本発明に係る画像形成処理の流れを概略的に補足するために、画像形成装置における複写処理の一例を図１１及び図１２を参照して説明する。図１１は、本発明の画像形成装置において使用されるモード別の付加／未付加判定テーブルの一例を示す図で、図中、９０はこのテーブルである。また、図１２は、本発明の画像形成装置における複写処理の流れを説明するためのフロー図である。なお、図１１は図１２のフローで用いるテーブル９０を表すものとする。
【０１０６】
図１１及び図１２を参照して説明する複写処理の例では、まず、原稿がセットされることが確認される（ステップＳ１）。次に、ユーザがモード設定を行って、画像形成装置はそれを受け取る（ステップＳ２）。スタートキーがユーザにより押下されたか否かを判定し（ステップＳ３）、されていなければ押下をその段階で待つか、ステップＳ２に戻る。スタートキーの押下を確認した後、原稿を読み取る（ステップＳ４）。
【０１０７】
次に、宣伝画像情報を付加するか否かを判定する（ステップＳ５）。ステップＳ５では、例えば、ステップＳ１，Ｓ２で設定されたモードに応じて判定を実行する。例えば、テーブル９０に示すように、ステップＳ１でＳＰＦ（原稿自動送り装置）に原稿がセットされた場合で、ステップＳ２で設定されたモードが、コピーモード及びメール送信モード及びファイリングモードであった場合には宣伝画像情報を付加する。一方、ステップＳ１で原稿台に原稿がセットされた場合で、ステップＳ２で設定されたモードが、コピーモード及びメール送信モードであった場合にも宣伝画像情報を付加する。また、ステップＳ１での原稿のセット位置に拘わらず、ＦＡＸ送信を行う場合には、宣伝画像情報を付加しない。なお、このテーブル９０では、原稿台からのファイリング操作は禁止されているものとする。
【０１０８】
ステップＳ５での判定の結果に基づき、必要な場合には、宣伝画像情報を画像データに付加し（ステップＳ６）、画像形成処理を実行する（ステップＳ７）。一方、ステップＳ５での判定の結果に基づき、不必要な場合には、ステップＳ６を実行せずに、画像形成処理を実行する（ステップＳ７）。
【０１０９】
このように、ユーザによる設定だけでなく、予め管理者の設定によって、モード別に宣伝画像情報の付加／未付加を設定しておいてもよい。好ましくは、ユーザが画像処理モード決定手段１４等での設定を行うことによって、自動的に付加／未付加を決定できるようにし、管理者が付加を設定しているモードに対してのみ、ユーザは付加／未付加の設定を可能とするようにするとよい。
【０１１０】
最後に、本発明に係る画像形成処理における画像形成及び課金処理の流れを概略的に補足するために、画像形成装置における課金を伴う複写処理の一例を図１３及び図１４を参照して説明する。図１３は、本発明の画像形成装置における操作パネルの一例を示す図で、図中、２２は図２の操作部に対応する操作パネルである。また、図１４は、本発明の画像形成装置における課金を伴う複写処理の流れを説明するためのフロー図である。なお、図１３の操作パネル２２は図１４のフローで用いる操作パネルを表すものとする。また、ここで説明するモード選択はより簡単なもののみとしているが、上述したあらゆる設定によりモードが決定されてもよい。
【０１１１】
まず、ユーザはコピーモードを広告コピーボタン９２、カラーコピーボタン９３、及び白黒コピーボタン９４のいずれかを押下することによって選択する（ステップＳ１０）。これを画像形成装置は受け付けて、モードがカラーであるのか、白黒であるのか、広告であるのかを判定する（ステップＳ１１，Ｓ２１，Ｓ３１）。そして、ユーザは、原稿をセットし、タッチパネル９１及び数字やキャンセル等の枚数入力ボタン９５などを操作することにより、コピー条件を入力する。
【０１１２】
カラーモードであった場合、画像形成装置は、ユーザの入力を受けて、原稿のセットを確認し（ステップＳ１２）、ユーザ操作入力されたコピー条件を受け付ける（ステップＳ１３）。その後、コピーボタン９６の押下がなされたか否かを判定し（ステップＳ１４）、押下されてない場合にはその状態或いはステップＳ１３に戻り押下を待つ。一方、ステップＳ１４でコピーボタン９６が押下されたと判定した場合には、原稿を読み取り（ステップＳ１５）、カラー画像を記録紙に形成する（ステップＳ１６）。その後、カラー画像用の料金として、５０円／枚の課金をユーザに対して行う（ステップＳ１７）。なお、課金は、予めコインの投入などによって行っていてもよく、その場合、投入された金額から課金額を差し引くようにしてもよい。
【０１１３】
白黒モードであった場合、画像形成装置は、カラーモードのときと同様に、ユーザの入力を受けて、原稿のセットを確認し（ステップＳ２２）、ユーザ操作入力されたコピー条件を受け付ける（ステップＳ２３）。その後、コピーボタン９６の押下がなされたか否かを判定し（ステップＳ２４）、押下されてない場合にはその状態或いはステップＳ２３に戻り押下を待つ。一方、ステップＳ２４でコピーボタン９６が押下されたと判定した場合には、原稿を読み取り（ステップＳ２５）、モノクロ画像を記録紙に形成する（ステップＳ２６）。その後、モノクロ画像用の料金として、１０円／枚の課金をユーザに対して行う（ステップＳ２７）。
【０１１４】
広告モードであった場合、画像形成装置は、他のモードのときと同様に、ユーザの入力を受けて、原稿のセットを確認し（ステップＳ３２）、ユーザ操作入力されたコピー条件を受け付ける（ステップＳ３３）。その後、コピーボタン９６の押下がなされたか否かを判定し（ステップＳ３４）、押下されてない場合にはその状態或いはステップＳ３３に戻り押下を待つ。一方、ステップＳ３４でコピーボタン９６が押下されたと判定した場合には、原稿を読み取る（ステップＳ３５）。
【０１１５】
ここで、広告モードであった場合にも、ユーザは予めカラー／白黒を設定している必要（或いは自動判別）があり、広告コピーボタン９２の押下の前後などにカラー／白黒の選択を要求する画面をタッチパネル９１に表示して、その選択結果を受け付けるとよい。さらに、広告コピーボタン９２の押下の後に、図１３に示すようなどの広告を背景に選ぶかを選択可能なようにタッチパネル９１に表示し、その選択結果を受け付けておくとよい。
【０１１６】
ここでは、「××コンビニ」選択ボタン９１ａ、「△△銀行」選択ボタン９１ｂ、「○○書店」選択ボタン９１ｃ、「○○新聞」選択ボタン９１ｄ、「××商店」選択ボタン９１ｅ、及び「ＳＨＡＲＰ」選択ボタン９１ｆを表示した例を示している。ここでの表示の際に、１枚当たりのコピー代金、或いは１枚当たりの減額分も併せて各選択ボタン９１ａ〜９１ｆに表示しておくとよい。このような表示により、各宣伝主が提供可能な減額分に差を設けておきユーザに選択させることも可能となる。ユーザはより減額分が多い宣伝主を選ぶことでより安くコピーが行えるようになる。図５乃至図１０で例示した印刷例では、「ＳＨＡＲＰ」選択ボタン９１ｆが押下された結果を表していることとなる。また、タッチパネル９１での表示自体も操作者（ユーザ）に対する広告効果が得られる。
【０１１７】
ステップＳ３５の後、広告画像情報を読み取り画像に合成して合成画像を生成し（ステップＳ３６）、カラー／モノクロの判定を行う（ステップＳ３７）。ステップＳ３７でカラー印刷であると判定された場合には、広告画像が読み取り画像に合成されたカラー画像を記録紙に形成し（ステップＳ３８）、広告代金を差し引いたカラー画像用の代金として、４０円／枚の課金をユーザに対して行う（ステップＳ３９）。一方、ステップＳ３７でモノクロ印刷であると判定された場合には、広告画像が読み取り画像に合成されたモノクロ画像を記録紙に形成し（ステップＳ４０）、広告代金を差し引いたモノクロ画像用の代金として、５円／枚の課金をユーザに対して行う（ステップＳ４１）。
【図面の簡単な説明】
【０１１８】
【図１】本発明の一実施形態に係る画像形成装置の一構成例を示す図である。
【図２】本発明に係る画像形成装置を含むシステムの構成例を示す図である。
【図３】図２の画像形成装置における画像読取部の一構成例を示す概略断面図である。
【図４】図２の画像形成装置における機器制御部の一構成例を示す図である。
【図５】本発明の画像形成装置において印刷処理された記録材の一例を示す図である。
【図６】本発明の画像形成装置において印刷処理された記録材の他の例を示す図である。
【図７】本発明の画像形成装置において印刷処理された記録材の他の例を示す図である。
【図８】本発明の画像形成装置において印刷処理された記録材の他の例を示す図である。
【図９】本発明の画像形成装置において印刷処理された記録材の他の例を示す図である。
【図１０】本発明の画像形成装置において印刷処理された記録材の他の例を示す図である。
【図１１】本発明の画像形成装置において使用されるモード別の付加／未付加判定テーブルの一例を示す図である。
【図１２】本発明の画像形成装置における一連の複写処理の流れを説明するためのフロー図である。
【図１３】本発明の画像形成装置における操作パネルの一例を示す図である。
【図１４】本発明の画像形成装置における課金を伴う複写処理の流れを説明するためのフロー図である。
【符号の説明】
【０１１９】
１…画像処理装置（画像形成装置、デジタル複合機）、１１…ユーザ認証手段、１２…第一画像情報入力手段、１３…第二画像情報入力手段、１４…画像処理モード決定手段、１５…画像処理手段（画像記録手段）、１６…画像付加手段、１６ａ…付加決定手段、１６ｂ…宣伝選択手段、１６ｃ…付加情報設定手段、１６ｄ…特徴判定手段、１７…処理手段（記録手段）、１８…課金手段、１８ａ…記録対価課金手段、１８ｂ…宣伝対価課金手段、２０…第一画像読取部、２１…第二画像読取部、２２…操作部（操作パネル）、２３…画像形成部、２３ａ…印字部、２３ｂ…メモリ、２４…ハードディスク（ＨＤ）、２５…ＦＡＸモデム、２６…通信部、２７…管理部、２８…タイマ、２９…消去処理部、３０…機器制御部、３０ａ…ＣＰＵ、３０ｂ…ＲＡＭ、３０ｃ…ＲＯＭ、３０ｄ…バス、３０ｅ…入力Ｉ／Ｆ、３０ｆ…出力Ｉ／Ｆ、３１…画像付加部、３１ａ…付加決定部、３１ｂ…宣伝選択部、３１ｃ…情報設定部、３１ｄ…特徴判定部、３２…課金ユニット、４０…イメージスキャナユニット、４５…ＣＣＤ方式の画像読取部、４６…ＣＩＳ方式の画像読取部、９１…タッチパネル、９１ａ…「××コンビニ」選択ボタン、９１ｂ…「△△銀行」選択ボタン、９１ｃ…「○○書店」選択ボタン、９１ｄ…「○○新聞」選択ボタン、９１ｅ…「××商店」選択ボタン、９１ｆ…「ＳＨＡＲＰ」選択ボタン、９２…広告コピーボタン、９３…カラーコピーボタン、９４…白黒コピーボタン、９５…枚数入力ボタン、９６…コピーボタン、１０２ａ，１０２ｂ…端末ＰＣ、１０３…ネットワーク、１０４…電話回線網、１０５…インターネット網、１０６…外部ＦＡＸ、１０７…インターネットＦＡＸ、１０８…外部ＰＣ、１０９…外部サーバ。
【図１】
2007019929.tif 000003
【図２】
2007019929.tif 000004
【図３】
2007019929.tif 000005
【図４】
2007019929.tif 000006
【図５】
2007019929.tif 000007
【図６】
2007019929.tif 000008
【図７】
2007019929.tif 000009
【図８】
2007019929.tif 000010
【図９】
2007019929.tif 000011
【図１０】
2007019929.tif 000012
【図１１】
2007019929.tif 000013
【図１２】
2007019929.tif 000014
【図１３】
2007019929.tif 000015
【図１４】
2007019929.tif 000016